(57)【要約】【課題】既設の下荷重タイプの戸パネルに対しても少ない手間で迅速に取り付けることができ、しかも、構造が簡単であるにもかかわらず、戸パネルを確実に閉じ操作できる自動閉止式の引戸を提供する。【解決手段】自閉機構１５は、下ガイドレール３に沿って左右方向にスライド移動可能に装着されて、戸パネル５の荷重を受ける下ランナーユニット６と、戸パネル５の下端縁に装着固定された左右横長の下ケース１６と、下ガイドレール３の内壁面の閉じ端から所定寸法だけ離れた位置に装着固定されて、下ランナーユニット６の閉じ方向の移動を規制するブロック体１７とからなる。下ケース１６には、戸先側に向かって下り傾斜するガイド孔２０を設けてあり、戸パネル５が所定位置まで閉じ操作されて、下ランナーユニット６がブロック体１７に衝突したとき、戸パネル５および下ケース１６が下ランナーユニット６と分離して、ガイド孔２０の傾斜角度で以て、自重で閉じ移動できるようにしている。【選択図】図１
2006225917.tif 000002
【特許請求の範囲】
【請求項１】
戸枠（１）の上下縁部に固定される上下一対のガイドレール（２・３）と、上下のガイドレール（２・３）に左右方向に開閉自在に案内支持される戸パネル（５）と、戸パネル（５）の前面に設けられた操作部材（７）を使って戸パネル（５）を左右方向の一定位置まで閉じ操作したときに、該戸パネル（５）を閉じ位置まで自動的に閉じ操作する自閉機構（１５）とを含む自動閉止式の引戸であって、
自閉機構（１５）は、下ガイドレール（３）に沿って左右方向にスライド移動可能に装着されて、戸パネル（５）の荷重を受ける下ランナーユニット（６）と、戸パネル（５）の下端縁に装着固定された左右横長の下ケース（１６）と、下ガイドレール（３）の内壁面の閉じ端から所定寸法だけ離れた位置に装着固定されて、下ランナーユニット（６）の閉じ方向の移動を規制するブロック体（１７）とを含み、戸パネル（５）および下ケース（１６）は、下ランナーユニット（６）と分離して、左右方向にスライド可能に構成されており、
下ケース（１６）を構成する前後壁（１８・１９）のそれぞれには、戸パネル（５）の戸先側に向かって下り傾斜するガイド孔（２０）が形成されており、
下ランナーユニット（６）は、左右横長のランナーケース（３０）と、下ケース（１６）のガイド孔（２０）およびランナーケース（３０）の前後壁（３７・３９）に設けられた軸受孔（４７）に装着されたローラ軸（３２）と、該ローラー軸（３２）に相対回転自在に装着されたローラ（３１）とを含み、
戸パネル（５）が閉じ操作されているときには、下ランナーユニット（６）は、戸パネル（５）の荷重を受けて、下ガイドレール（３）に沿って戸パネル（５）とともに閉じ方向に移動するようにしてあり、
さらに戸パネル（５）が閉じ操作されて、下ランナーユニット（６）がブロック体（１７）に衝突して、下ランナーユニット（６）の閉じ方向への移動が規制されたとき、戸パネル（５）および下ケース（１６）が下ランナーユニット（６）と分離して、不動状態にあるローラ軸（３２）に対してガイド孔（２０）の傾斜角度で以て斜め下方向に自重でスライド移動することによって、戸パネル（５）が閉じ位置に至るようにしてあり、
閉じ位置から戸パネル（５）が開き操作して、ガイド孔（２０）の戸先側の奥端部でローラ軸（３２）が係合捕捉されると、下ランナーユニット（６）が戸パネル（５）とともに開き方向へ移動されるようにしてあることを特徴とする自動閉止式の引戸。
【請求項２】
戸枠（１）の上下縁部に固定される上下一対のガイドレール（２・３）と、上下のガイドレール（２・３）に左右方向に開閉自在に案内支持される戸パネル（５）と、戸パネル（５）の前面に設けられた操作部材（７）を使って戸パネル（５）を左右方向の一定位置まで閉じ操作したときに、該戸パネル（５）を閉じ位置まで自動的に閉じ操作する自閉機構（１５）とを含む自動閉止式の引戸であって、
自閉機構（１５）は、下ガイドレール（３）に沿って左右方向にスライド移動可能に装着されて、戸パネル（５）の荷重を受ける下ランナーユニット（６）と、戸パネル（５）の下端縁に装着固定された左右横長の下ケース（１６）と、下ガイドレール（３）の内壁面の閉じ端から所定寸法だけ離れた位置に装着固定されて、下ランナーユニット（６）の閉じ方向の移動を規制するブロック体（１７）とを含み、戸パネル（５）および下ケース（１６）は、下ランナーユニット（６）と分離して、左右方向にスライド可能に構成されており、
下ケース（１６）を構成する前後壁（１８・１９）のそれぞれには、戸パネル（５）の戸先側に向かって下り傾斜するガイド孔（２０）が形成されており、
下ランナーユニット（６）は、左右横長のランナーケース（３０）と、下ケース（１６）のガイド孔（２０）およびランナーケース（３０）の前後壁（３７・３９）に設けられた軸受孔（４７）に装着されたローラ軸（３２）と、該ローラー軸（３２）に相対回転自在に装着されたローラ（３１）と、該ローラ（３１）の自由回転を規制するストッパー（３３）とを含み、
ストッパー（３３）は、その戸尻側端にローラ（３１）の側面に形成された係合凸部（４０）と係合するための係合爪（５７）を有し、戸先側端にストッパー（３３）を姿勢変位するための操作部（５９）を有し、戸先側の操作部（５９）が上がるとともに戸尻側の係合爪（５７）が下がり、係合爪（５７）が係合凸部（４０）と係合してローラ（３１）の自由回転を規制するロック姿勢と、戸尻側の係合爪（５７）が上がって係合凸部（４０）に対する係合爪（５７）の係合状態を解除してローラ（３１）の自由回転を許すアンロック姿勢との間で、ランナーケース（３０）の前後壁に設けられた水平軸（３５）まわりに揺動自在に装着されており、
下ケース（１６）には、ストッパー（３３）の操作部（５９）の上方への揺動を抑えて、ストッパー（３３）をアンロック姿勢に姿勢保持するための操作ピン（２７）が設けられており、
戸パネル（５）が閉じ操作されているときには、ストッパー（３３）は操作ピン（２７）によってアンロック姿勢に姿勢保持されていて、下ランナーユニット（６）は、戸パネル（５）の荷重を受けて、下ガイドレール（３）に沿って戸パネル（５）とともに閉じ方向に移動するようにしてあり、
さらに戸パネル（５）が閉じ操作されて、下ランナーユニット（６）がブロック体（１７）に衝突して、下ランナーユニット（６）の閉じ方向への移動が規制されたとき、戸パネル（５）および下ケース（１６）が下ランナーユニット（５）と分離して、不動状態にあるローラ軸（３２）に対してガイド孔（２０）の傾斜角度で以て斜め下方向に自重でスライド移動することによって、戸パネル（５）が閉じ位置に至るとともに、操作ピン（２７）によるストッパー（３３）のアンロック姿勢が解除されてロック姿勢となることで、下ランナーユニット（６）の開き方向への不用意な移動が規制されるようにしてあり、
閉じ位置から戸パネル（５）が開き操作されて、操作ピン（２７）がストッパー（３３）の戸先側端に至ると、ストッパー（３３）がアンロック姿勢に切り換え操作されて、ローラ（３１）が自由回転状態となるとともに、ガイド孔（２０）の戸先側の奥端部でローラ軸（３２）が係合捕捉されて、下ランナーユニット（６）が戸パネル（５）とともに開き方向へ移動されるようにしてあることを特徴とする自動閉止式の引戸。
【請求項３】
戸先側に向かって上がり傾斜する、左右方向の長さ寸法の小さな微小ガイド孔（２１）が、ガイド孔（２０）の戸先側端に連続して形成されている請求項１又は２記載の自動閉止式の引戸。
【請求項４】
ローラ軸（３２）に装着されたベアリング（４５）を介して、ローラ（３１）がローラ軸（３２）に対して相対回転自在に支持されている請求項１又は２又は３記載の自動閉止式の引戸。
【発明の詳細な説明】
【技術分野】
【０００１】
本発明は、戸パネルを閉じ端寄りにおいて人手を要することなく閉じ操作できる自閉機構を備えた引戸に関する。
【背景技術】
【０００２】
戸パネルを開閉ストロークの閉じ端寄りにおいて閉じ支援する引戸の自閉機構は、特許文献１や特許文献２などに記載されていて公知である。特許文献１では、引っ張りばねで閉じ方向へ移動付勢されるスライダーが戸枠の上縁に設けてあり、戸パネルを所定位置まで閉じ操作すると、以後は戸パネルの上部に装着された上ランナーとスライダーとが連結されて、戸パネルを引っ張りばねの付勢力で閉じ操作できるようにしてある。スライダーは連結待機姿勢と作動姿勢とに変位でき、戸パネルを開放操作するとき、引っ張りばねの弾性に逆らいながら連結ピンで同行移動操作されて、先の所定位置において連結待機姿勢に保持される。
【０００３】
特許文献２では、閉じ端側へ向かって下り傾斜するガイドレールを戸枠の上縁に装着し、該ガイドレールで上ランナーを移行案内することにより、戸パネルを任意の開放位置から閉じ位置へ戻すことができるようにしている。
【０００４】
【特許文献１】２００３−２１４０２３号公報（段落番号００３４、図１０）
【特許文献２】２００１−１８２４２５号公報（段落番号００１１、図２）
【発明の開示】
【発明が解決しようとする課題】
【０００５】
特許文献１の自閉機構では、ガイドレールと戸パネルとの間に、スライダーやばねなどを設ける必要があるので、自閉機構やレール構造が複雑になる。特許文献２の自閉機構では、ガイドレールの全体を傾斜させて、上ランナーを閉じ端側へ向かって走行案内する。このため、ガイドレールや上ランナーを収容するレール台が大型化することが避けられず、通常サイズの戸パネルを支持するとき、戸枠の開口寸法が特殊化するのを避けられない。
【０００６】
加えて、これら特許文献に記載の引戸の自閉機構は、予めシステム化された引戸全体のなかで一つの機能として予め設計されたものであって、既設の引戸に付設することが極めて困難であったり、不可能であったりする。つまり、これら各特許文献に記載の引戸は、上ガイドレールにスライド自在に装着された上ランナーを介して戸パネルを吊り下げ支持する吊りタイプの引戸であるが、市場において大半を占めているのは下荷重タイプの引戸である。このため、下荷重タイプの既設の引戸に、上記特許文献に記載の自閉機構を組み付ける場合には、これを吊りタイプに変更することが必要で、戸パネルの左右上部に上ランナーを取り付けるための陥没孔を形成したり、上ガイドレールを付け替えたりするなどの作業が不可欠であり、自閉機構を新たに組み付ける場合の工事が大掛かりとなることが避けられず、その点にも不利があった。
【０００７】
本発明の目的は、構造が簡単であるにもかかわらず、戸パネルを確実に閉じ操作できる自動閉止式の引戸を提供することにある。本発明の目的は、既設の下荷重タイプの戸パネルに対しても、少ない手間で簡単に自閉機構を取り付けることが可能な自動閉止式の引戸を提供することにある。
【課題を解決するための手段】
【０００８】
本発明は、図２に示すごとく、戸枠１の上下縁部に固定される上下一対のガイドレール２・３と、上下のガイドレール２・３に左右方向に開閉自在に案内支持される戸パネル５と、戸パネル５の前面に設けられた操作部材７を使って戸パネル５を左右方向の一定位置まで閉じ操作したときに、該戸パネル５を閉じ位置まで自動的に閉じ操作する自閉機構１５とを含む自動閉止式の引戸である。図１、図５および図６に示すごとく、自閉機構１５は、下ガイドレール３に沿って左右方向にスライド移動可能に装着されて、戸パネル５の荷重を受ける下ランナーユニット６と、戸パネル５の下端縁に装着固定された左右横長の下ケース１６と、下ガイドレール３の内壁面の閉じ端から所定寸法だけ離れた位置に装着固定されて、下ランナーユニット６の閉じ方向の移動を規制するブロック体１７とを含む。図１および図９に示すごとく、戸パネル５および下ケース１６は、下ランナーユニット６と分離して、左右方向にスライド可能に構成されている。図５および図６に示すごとく、下ケース１６を構成する前後壁１８・１９のそれぞれには、戸パネル５の戸先側に向かって下り傾斜するガイド孔２０が形成されている。下ランナーユニット６は、左右横長のランナーケース３０と、下ケース１６のガイド孔２０およびランナーケース３０の前後壁３７・３９に設けられた軸受孔４７に装着されたローラ軸３２と、該ローラー軸３２に相対回転自在に装着されたローラ３１とを含む。
【０００９】
図７に示すごとく、戸パネル５が閉じ操作されているときには、下ランナーユニット６は、戸パネル５の荷重を受けて、下ガイドレール３に沿って戸パネル５とともに閉じ方向に移動するようにしてあり、さらに戸パネル５が閉じ操作されて、図１に示すごとく、下ランナーユニット６がブロック体１７に衝突して、下ランナーユニット６の閉じ方向への移動が規制されたとき、戸パネル５および下ケース１６が下ランナーユニット６と分離して、不動状態にあるローラ軸３２に対してガイド孔２０の傾斜角度で以て斜め下方向に自重でスライド移動することによって、図９に示すごとく、戸パネル５が閉じ位置に至るようにしてある。閉じ位置から戸パネル５が開き操作して、図７に示すごとく、ガイド孔２０の戸先側の奥端部でローラ軸３２が係合捕捉されると、下ランナーユニット６が戸パネル５とともに開き方向へ移動されるようにしてあることを特徴とする。
【００１０】
本発明は、図２に示すごとく、戸枠１の上下縁部に固定される上下一対のガイドレール２・３と、上下のガイドレール２・３に左右方向に開閉自在に案内支持される戸パネル５と、戸パネル５の前面に設けられた操作部材７を使って戸パネル５を左右方向の一定位置まで閉じ操作したときに、該戸パネル５を閉じ位置まで自動的に閉じ操作する自閉機構１５とを含む自動閉止式の引戸である。図１、図５および図６に示すごとく、自閉機構１５は、下ガイドレール３に沿って左右方向にスライド移動可能に装着されて、戸パネル５の荷重を受ける下ランナーユニット６と、戸パネル５の下端縁に装着固定された左右横長の下ケース１６と、下ガイドレール３の内壁面の閉じ端から所定寸法だけ離れた位置に装着固定されて、下ランナーユニット６の閉じ方向の移動を規制するブロック体１７とを含む。図１および図９に示すごとく、戸パネル５および下ケース１６は、下ランナーユニット６と分離して、左右方向にスライド可能に構成されている。図５および図６に示すごとく、下ケース１６を構成する前後壁１８・１９のそれぞれには、戸パネル５の戸先側に向かって下り傾斜するガイド孔２０が形成されている。下ランナーユニット６は、左右横長のランナーケース３０と、下ケース１６のガイド孔２０およびランナーケース３０の前後壁３７・３９に設けられた軸受孔４７に装着されたローラ軸３２と、該ローラー軸３２に相対回転自在に装着されたローラ３１と、該ローラ３１の回転を規制するストッパー３３とを含む。
【００１１】
図６に示すごとく、ストッパー３３は、その戸尻側端にローラ３１の側面に形成された係合凸部４０と係合するための係合爪５７を有し、戸先側端にストッパー３３を姿勢変位するための操作部５９を有し、図１および図９に示すごとく、戸先側の操作部５９が上がるとともに戸尻側の係合爪５７が下がり、係合爪５７が係合凸部４０と係合してローラ３１の自由回転を規制するロック姿勢と、図７に示すごとく、戸尻側の係合爪５７が上がって係合凸部４０に対する係合爪５７の係合状態を解除してローラ３１の自由回転を許すアンロック姿勢との間で、ランナーケース３０の前後壁に設けられた水平軸３５まわりに揺動自在に装着されている。図１に示すごとく、下ケース１６には、ストッパー３３の操作部５９の上方への揺動を抑えて、ストッパー３３をアンロック姿勢に姿勢保持するための操作ピン２７が設けられている。
【００１２】
図７に示すごとく、戸パネル５が閉じ操作されているときには、ストッパー３３は操作ピン２７によってアンロック姿勢に姿勢保持されていて、下ランナーユニット６は、戸パネル５の荷重を受けて、下ガイドレール３に沿って戸パネル５とともに閉じ方向に移動するようにしてあり、さらに戸パネル５が閉じ操作されて、図１に示すごとく、下ランナーユニット６がブロック体１７に衝突して、下ランナーユニット６の閉じ方向への移動が規制されたとき、戸パネル５および下ケース１６が下ランナーユニット６と分離して、不動状態にあるローラ軸３２に対してガイド孔２０の傾斜角度で以て斜め下方向に自重でスライド移動することによって、図９に示すごとく、戸パネル５が閉じ位置に至るとともに、操作ピン２７によるストッパー３３のアンロック姿勢が解除されてロック姿勢となることで、下ランナーユニット６の開き方向への不用意な移動が規制されるようにしてある。閉じ位置から戸パネル５が開き操作されて、操作ピン２７がストッパー３３の戸先側端に至ると、図７に示すごとく、ストッパー３３がアンロック姿勢に切り換え操作されて、ローラ３１が自由回転状態となるとともに、ガイド孔２０の戸先側の奥端部でローラ軸３２が係合捕捉されて、下ランナーユニット６が戸パネル５とともに開き方向へ移動されるようにしてあることを特徴とする。
【００１３】
図１、図６および図９に示すごとく、戸先側に向かって上がり傾斜する、左右方向の長さ寸法の小さな微小ガイド孔２１を、ガイド孔２０の戸先側端に連続して形成することができる。当該形態においては、戸パネル５を開き操作する際には、ローラ軸３２が微小ガイド孔２１内に係合捕捉される（図７参照）。
【００１４】
ローラ軸３２に装着されたベアリング４５を介して、ローラ３１がローラ軸３２に対して相対回転自在に支持された形態を採ることができる。
【発明の効果】
【００１５】
本発明に係る自動閉止式の引戸では、自閉機構１５として、下ガイドレール３に沿って左右方向にスライド移動可能に装着されて、戸パネル５の荷重を受ける下ランナーユニット６と、戸パネル５の下端縁に装着固定された左右横長の下ケース１６と、下ガイドレール３の内壁面の閉じ端から所定寸法だけ離れた位置に装着固定されて、下ランナーユニット６の閉じ方向の移動を規制するブロック体１７とからなるものとした。そして、下ケース１６に、戸先側に向かって下り傾斜するガイド孔２０を設けて、戸パネル５が所定位置まで閉じ操作されて、下ランナーユニット６がブロック体１７に衝突したとき、戸パネル５および下ケース１６が下ランナーユニット６と分離して、ガイド孔２０の傾斜角度で以て、自重で閉じ移動できるようにした。この自閉機構は、例えばスライダーやばねを使用して戸パネルを閉じ操作する従来の自閉機構に比べると構造が簡単で部品点数が少なく済み、したがって、安価にして、引戸全体の製造コストの低減化を図るに有利である。
【００１６】
既設の下荷重タイプの引戸に本発明を適用する場合には、実質的に戸パネルの下部をカットして、下ケース１６を装着し、これに下ランナーユニット６を組み付ければよく、簡単な施工により引戸に自閉機能を付加することができるので、既設の引戸にも少ない手間で簡単容易に組み付けることができる点でも優れている。下ガイドレール３を床面内に深く埋設する必要もなく、簡単容易に既設の下荷重タイプの引戸に、自閉機構を付加することができる点でも優れている。
【００１７】
戸パネル５がガイド孔２０の傾斜角度で以て、斜め下方向に閉じ移動できるようにするので、閉じ位置にあるときの戸パネル５と戸枠１の下縁との間の隙間は小さなものとなる。したがって、戸パネル５の下面隙間からの光や風などの漏洩を極力少なくすることができ、実用上の利便性にも優れている。
【００１８】
ガイド孔２０に沿って戸パネル５が上方移動し、ガイド孔２０の戸先側の奥端部にローラ軸３２がキャッチされた後は、戸パネル５を通常の引戸と同様に自由に開閉できる。
【００１９】
ブロック体１７に衝突した際に、衝突衝撃を受けた下ランナーユニット６が、不用意に開き方向に移動すると、戸パネル５が完全な閉じ位置まで来ることができずに、半開き状態となるおそれがある。その点、ローラ３１の自由回転を規制するストッパー３３を組み付けて、下ランナーユニット６がブロック体１７に衝突したときに、該ストッパー３３のローラ３１に対する回転規制機能が発揮されるようにしてあると、ブロック体１７に衝突した際に、衝突衝撃を受けた下ランナーユニット６が、不用意に開き方向へ移動するのを確実に阻止することができる。したがって、先のように戸パネル５が半開き状態となることがなく、自閉機構１５の動作の信頼性を向上できる。
【００２０】
図１および図６に示すごとく、戸先側に向かって上がり傾斜する左右方向の長さ寸法の小さな微小ガイド孔２１を、ガイド孔２０の戸先側端に連続して形成してあると、不用意に戸パネル５と下ケース１６とが、下ランナーユニット６から分離して、不用意に下降移動することを防ぐことができる。つまり、戸パネル５が下ランナーユニット６から分離して下降移動するためには、微小ガイド孔２１からガイド孔２０内にローラ軸３２を変位移動させる必要があるが、この動作をローラ軸３２を基準にして見てみると、実質的に微小ガイド孔２１の上下の高さ寸法ぶんだけ下ケース１６を戸パネル５ごと持ち上げる動作となる。当該動作は通常の開閉動作においては起こり難いものであり、したがって、戸パネル５が不用意に下降移動することはなく、自閉機構１５の動作の信頼性を向上できる。
【００２１】
図８に示すごとく、下ランナーユニット６と分離した戸パネル５および下ケース１６が、ローラ軸３２に対してガイド孔２０の傾斜角度で以て、斜め下方向に自重でスライド移動していくとき、図示例では、ローラ軸３２には、ガイド孔２０の上縁を介して反時計方向の回転力が加わる。かかるローラ軸３２の反時計方向の回転力は、ローラ３１を開き方向へ移動させようとする方向に働くものであり、このときローラ３１が動くと、換言すれば下ランナーユニット６が開き方向に動くと、戸パネル５が完全な閉じ位置まで来ることができずに、半開き状態となるおそれがある。そこで本発明のように、ローラ軸３２とローラ３１との間にはベアリング４５を装着してあると、該ベアリング４５によりローラ軸３２の回転力がローラ３１に伝わるのを打ち切ることができ、したがって、先のストッパー３３による回転規制力と相俟って、ローラ３１の不用意な回転を確実に規制して、戸パネル５が半開き状態となることを防ぐことができる。換言すれば、ローラ３１の不用意な回転を確実に規制しながら、ローラ軸３２の良好な回転を確保でき、したがって、戸パネル５をスムーズに下降移動させることが可能となる。
【発明を実施するための最良の形態】
【００２２】
図１ないし図９は、本発明に係る自動閉止式の引戸の実施形態を示す。この種の引戸はウォークインクロゼットや、収納室の出入口などに適用されるものであり、本実施例においては、収納室に本発明に係る自動閉止式の引戸を適用した例を示す。図２において符号１は、収納室の前面開口縁に形成された戸枠を示す。引戸は、戸枠１の上縁部に固定された上下のガイドレール２・３と、上下ガイドレール２・３に開閉自在に案内支持される戸パネル５と、下ガイドレール３に左右方向にスライド移動可能に装着された下ランナーユニット６などで構成される。符号７は、戸パネル５の前面に設けられた、開閉操作用の把手（操作部材）である。この引戸は下荷重タイプであり、戸パネル５の全荷重は下ランナーユニット６を介して下ガイドレー３ルで受け止められている。
【００２３】
図２および図４において、符号９は、戸パネル５の左右端に装着された左右一対のピポット軸を示す。上ガイドレール２は、断面コ字状のアルミニウム条材からなり、その前後壁１０・１１の間に、ピポット軸９を移行案内するガイド溝１２が、下向きに開口する状態で設けられている。これらガイド溝１２・ピポット軸９により、戸パネル５がその厚み方向である前後方向に揺動するのを規制している。下ガイドレール３は、断面Ｖ字状のアルミニウム条材であり、その前後中央部に、下ランナーユニット６のローラ３１を移行案内するガイド溝１３を備える。
【００２４】
把手７を使って戸パネル５を左方向の一定位置まで閉じ操作したときには、該戸パネル５が戸枠１の左縁と接する閉じ位置まで自動時に閉じ操作することが望まれる。そこで戸パネル５と下ガイドレール３との間に、自閉機構１５が設けられている。この自閉機構１５は、下ランナーユニット６と、戸パネル５の下端縁に装着固定された下ケース１６と、下ガイドレール３の内壁面に装着固定されたブロック体１７とからなる。ここでは、図２および図５に示すごとく、下ランナーユニット６の左右二箇所（戸パネル５の戸先側と戸尻側）に、自閉機構１５・１５を設けた。
【００２５】
図５および図６において、下ケース１６は、下向きの開口を有する断面コ字状の金属成形品であり、前後壁１８・１９のそれぞれの左端部の近傍には、戸パネル５の戸先側（左側）に向かって下り傾斜するガイド孔２０が開設されている。同様のガイド孔２０は、戸尻側の自閉機構１５に対応して、前後壁１８・１９の右端部の近傍にも設けられている。図６に示すごとく、各ガイド孔２０の戸先側の奥端部には、戸先側に向かって上がり傾斜する、左右方向の長さ寸法の小さな微小ガイド孔２１が、ガイド孔２０に連続して形成されている。ガイド孔２０の左右の開口寸法は、戸枠１からブロック体１７までの長さ距離（図９における２００mm）よりも長いものとする。
【００２６】
下ケース１６の天壁２２には、ビス２５（図１等参照）用のビス孔２３が通設されており、該ビス２５により、下ケース１６は戸パネル５の下端縁に、ハウジング２６とともにビス止め固定されている。図５に示すごとく、ハウジング２６は、下向きの開口を有する断面コ字状のプラスチック成形品であり、その前後壁により下ケース１６と下ランナーユニット６を覆っている。図２に示すごとく、下ケース１６およびハウジング２６の左右の長さ寸法は、戸パネル５のそれと同寸法に設定されている。このようにハウジング２６で下ケース１６や下ランナーユニット６を覆ってあると、前方から見たときに、これら部材１６・５が異常に目立つことを良く抑えることができる。その観点からハウジング２６は、戸パネル５と同系色であることが望まれる。
【００２７】
図５および図６に示すごとく、下ケース１６の前後壁１８・１９の間には、各自閉機構１５・１５に対応して、二本の操作ピン２７・２７が架設されている。これら操作ピン２７は、後述のストッパー３３の操作部５９の上方への揺動を抑えて、該ストッパー３３をアンロック姿勢に姿勢保持するためのものである。図６において符号２８は、前後壁１８・１９に開設された操作ピン２７用の軸受孔を、２９は、操作ピン２７の前壁１８からの突出端に装着される、抜け止め用のリングを示す。
【００２８】
図５に示すごとく、下ランナーユニット６は、戸パネル５の左右の長さ寸法と略同寸法の長さ寸法を有する左右横長のランナーケース３０と、下ガイドレール３に沿って走行案内されるローラ３１と、各ローラ３１を遊転自在に軸支するローラ軸３２と、ローラ３１の回転を規制するストッパー３３と、ストッパー３３を揺動自在に軸支する水平軸３５とを備える。
【００２９】
ランナーケース３０は、底壁３６と、該底壁３６の前後縁から上方に折り曲げ形成された前後壁３７・３９とを備え、上向きに開口を有する断面コ字状の金属成形品である。ランナーケース３０の戸先端（左端）および戸尻端（右端）の近傍には、前後一対のローラ３１・３１がローラ軸３２・３２を介して遊転自在に軸支されており、これらローラ３１・３１を介してランナーケース３０は、下ガイドレール３のガイド溝１３に沿って走行案内自在に案内支持されている。
【００３０】
ローラ３１は、ポリオキシメチレン等を素材とするプラスチック成形品であり、その両側面には、ストッパー３３の係合爪５７が係合するための係合凸部４０が形成されている。図６に示すごとく、ここでの係合凸部４０は、外周に棘歯４１が放射状に配設された円盤形を呈している。各棘歯４１は、傾斜面４２と垂直面４３を有し、傾斜面４２がストッパー３３側（左側：すなわち戸尻側）に指向している。各ローラ軸３２にはベアリング４５を装着してあり、該ベアリング４５を介して、ローラ３１はローラ軸３２に対して相対回転自在に支持されている。ベアリング４５は、ローラ３１の前側の側面に形成された陥没穴４４に装着されている。なお、図５および図６においては、ベアリング４５を省略している。
【００３１】
ランナーケース３０の底壁３６には、該底壁３６の一部を打ち抜き除去することにより、上下方向に貫通する貫通孔４６を設けてあり、この貫通孔４６に一つのローラ３１が配設されている（図１参照）。貫通孔４６を望む前後壁３７・３９には、ローラ軸３２を装着するための軸受孔４７が設けてあり、この軸受孔４７、および先の下ケース１６のガイド孔２０にローラ軸３２が装着されている（図５および図６参照）。図６に示すごとく、ローラ軸３２は、前後方向に長い軸本体４９と、軸本体４９の一側端に形成された鍔部５０とを有する金属成形品であり、軸本体４９の鍔部５０とは反対側の他端側（以下、これを先端部と記す）の端部近傍には、リング５１用の溝５２が刻設されている。下ケース１６に対しては、前壁１８のガイド孔２０から先端部を差し込み、ランナーケース３０の前後壁３７・３９の軸受孔４７とベアリング４５に軸本体４９を通し、次いで後壁１９のガイド孔２０から突き出た先端部の溝５２にリング５１を装着することにより、図３および図４に示すごとく、下ケース１６およびランナーケース３０に、ローラ軸３２を前後の水平姿勢で組み付けてある。かかるローラ軸３２を介した下ランナーユニット６に対する下ケース１６の装着状態において、下ケース１６は下ランナーユニット６と分離して、左右方向に相対的にスライド移動可能な構成となる（図１および図９参照）。
【００３２】
これら左右一対のローラ３１・３１に対応して、ランナーケース３０には、その回転を規制するためのストッパー３３が二つ配設されている。図６に示すごとく、各ストッパー３３は、上壁５３および前後壁５５・５６を有し、下面および左右面が開口する断面コ字形の金属板材のプレス加工品である。ストッパー３３の左右の一端側には、先のローラ３１の係合凸部４０と係合する係合爪５７を形成してあり、他端側には、先の下ケース１６の操作ピン２７と係合する操作部５９を形成してある。ストッパー３３の前後壁５５・５６のそれぞれには、ランナーケース３０の前後壁３７・３９の間に架設された水平軸３５の挿入を許す軸受孔６０を開設してある。図６において、符号６１は、前後壁３７・３９に開設された水平軸３５用の軸受孔を、符号６２は、水平軸３５の前壁３７からの突出端に装着される、抜け止め用のリングを示す。
【００３３】
操作部５９が戸先側に、係合爪５７が戸尻側に位置するような姿勢で、ストッパー３３をランナーケース３０の前後壁３７・３９の間に配設したうえで、水平軸３５を軸受孔６０・６１内に装着することにより、ストッパー３３は、水平軸３５まわりに揺動自在に装着されている。詳しくはストッパー３３は、図１および図９に示すごとく、戸先側の操作部５９が上がるとともに戸尻側の係合爪５７が下がり、係合爪５７が係合凸部４０と係合してローラ３３の自由回転を規制するロック姿勢と、図１の仮想線および図７に示すごとく、戸尻側の係合爪５７が上がって係合凸部４０に対する係合爪５７の係合状態を解除してローラ３１の自由回転を許すアンロック姿勢との間で、水平軸３５まわりに揺動自在に装着されている。かかる装着状態において、ストッパー３３の重量バランスは、係合爪５７が下がるような戸尻側に偏寄しており、一切の力が加わらない自由揺動状態においては、ストッパー３３はロック姿勢となるようにしてある。なお係合爪５７は、ロック姿勢となったとき、係合凸部４０を構成する棘歯４１の傾斜面４２および垂直面４３に係合して、ローラ３１の自由回転を阻止している。
【００３４】
ブロック体１７は、シリコンゴム等を素材とするプラスチック成形品であり、図１に示すごとく、ビス６３により下ガイドレール３にビス止め固定されている。図１、図５および図６において、符号６５は、ランナーケース３０の底壁３６の左端の下面にビス６６により固定されて、閉じ操作時にブロック体１７と衝突する衝突片を示す。この衝突片６５もシリコンゴム等のプラスチック成形品である。後に詳述するが、衝突片６５がブロック体１７に衝突したときに、自閉機構１５の作動が開始されるものであり、したがって、かかる自閉機構１５は、戸パネル５が閉じ端側（図示例（図２）では、戸枠１の左縁の近傍）に近づいたときに作動すれば足りる。そのためブロック体１７は、図９に示すごとく、その右端面が下ガイドレールの左端から２００mmの位置にあるように配置してあり、戸パネル５が閉じ位置から２００mmの位置まで近づいて、該戸パネル５とともに閉じ方向に移動する下ランナーユニット６が、ブロック体１７に衝突したときにのみ、自閉機構１５が作動するようにしてある。
【００３５】
次の上記構成からなる自閉機構１５の動作について説明する。ここでは、戸先側に位置する自閉機構１５を使って、その動作を説明するが、戸尻側の自閉機構１５の動作も同様である。図７は、戸パネル５を右方向に開き移動させたときの自閉機構１５の状態を示しており、この位置ではローラ軸３２は、微小ガイド孔２１内にキャッチされており、したがって下ランナーユニット６は、戸パネル５とともに下ガイドレール３に沿って右方向にスライド移動する。このとき、下ランナーユニット６のランナーケース３０の左端面の位置は、戸パネル５および下ケース１６のそれと完全に一致している。加えてこの位置では、ストッパー３３は、操作部５９の上方への揺動が下ケース１６の操作ピン２７に抑えられており、したがって係合爪５７とローラ３１の係合凸部４０との係合状態が解除されたアンロック姿勢にある。つまり、ストッパー３３のローラ３１に対する回転規制機能は無効化されて非作動状態にある。このため、操作者は戸パネル５を支障なく右方向へ開き操作できる。
【００３６】
操作者が戸パネル５を必要な量だけ開き操作したのちに、戸パネル５を左方向に閉じ操作させたときにも、自閉機構１５の状態には変化はない。つまり、ストッパー３３はアンロック姿勢にあり、下ランナーユニット６は、戸パネル５とともに下ガイドレール３に沿って左方向にスライド移動する。このとき、下ランナーユニット６が、開き操作の終了位置で停止したり、開き操作により生じた慣性力によってさらに開き方向（右方向）へ不用意に移動したりすることはない。これは、下ランナーユニット６が下ケース１６と分離して右方向へ移動するためには、ローラ軸３２がガイド孔２０側にくるように、戸パネル５ごと下ケース１６が持ち上がるとともに、右上がりに傾斜しているガイド孔２０に沿って、ローラ軸３２が登り移動しなくてはならず、実質的に当該動作が不可能であることによる。
【００３７】
また、図７に示す状態で、操作者が戸パネル５から手を放した場合でも、下ケース１６が下ランナーユニット６と分離して、戸パネル５および下ケース１６のみが閉じ方向へ移動することはない。これは、上記のごとく下ケース１６が下ランナーユニット６と分離して閉じ方向へ移動するためには、微小ガイド孔２１からガイド孔２０内に、ローラ軸３２を変位移動させる必要があるが、この動作をローラ軸３２を基準にして見てみると、実質的に微小ガイド孔２１の上下の高さ寸法ぶんだけ下ケース１６を戸パネル５ごと持ち上げる動作となり、当該動作は通常の開閉動作においては起こり難いものである。つまり、図７に示す状態においては、戸パネル５の重みによって、ローラ軸３２は微小ガイド孔２１内に存しており、したがって、戸パネル５および下ケース１６が下ランナーユニット６と分離して、不用意に閉じ方向へ下降移動することはない。
【００３８】
いま、ブロック体１７の存在位置まで戸パネル５が来ると、衝突片６５がブロック体１７に衝突して下ランナーユニット６は停止する。同時に、下ケース１６が下ランナーユニット６と分離して、戸パネル５および下ケース１６のみが閉じ方向へ下降移動していく（図１参照）。より詳しく見てみると、ブロック体１７への衝突衝撃を受けた下ケース１６は、戸パネル５とともに僅かではあるが上方側へ変位する。かかる上方への変位寸法が、微小ガイド孔２１の上下の高さ寸法を超えると、下ケース１６は、ガイド孔２０内にローラ軸３２がくるように閉じ方向に姿勢変位し、戸パネル５および下ケース１６は、下ランナーユニット６と分離して、閉じ方向へ下降移動可能となる。
【００３９】
かかる下ケース１６の閉じ方向への移動に伴って、操作ピン２７も閉じ方向へ移動し、これにて操作部５９に対する揺動規制機能が無効化されて当該操作部５９は上昇し、ストッパー３３はアンロック姿勢からロック姿勢に姿勢変位する。これで、ストッパー３３のローラ３１に対する回転規制力が発揮される。つまり、図１に示すごとく、係合爪５９が係合凸部４０を構成する棘歯４１の傾斜面４２および垂直面４３に係合して、ローラ３１の自由回転が規制される。かかるストッパー３３のローラ３１に対する回転規制力により、ブロック体１７に対する衝突衝撃を受けた下ランナーユニット６が、不用意に開き方向（右方向）へ移動するのを阻止できる。当然にローラ軸３２も不動である。つまり、図１に示す状態から、ローラ軸３２が左右方向に動くこともない。
【００４０】
この状態から操作者が戸パネル５から手を放すと、図８に示すごとく、下ランナーユニット６と分離した戸パネル５および下ケース１６は、不動状態にあるローラ軸３２に対して、ガイド孔２０の傾斜角度で以て、斜め下方向（図示例では、左下方向）に自重でスライド移動していく。尤も、下ランナーユニット６がブロック体１７に衝突する直前に手を放した場合においても、戸パネル５に微小ガイド孔２１がローラ軸３２を乗り超えるだけの慣性力が付いていた場合には、戸パネル５および下ケース１６を下ランナーユニット６と分離して下降移動させることができる。かかる下降移動時においては、ガイド孔２０の上縁を介して、ローラ軸３２には反時計方向の回転力が加わる。このローラ軸３２の反時計方向の回転力は、ローラ３１を開き方向へ移動させようとする方向に働く。しかしながら、ローラ軸３２とローラ３１との間にはベアリング４５を装着してあるため、該ベアリング４５によりローラ軸３２の回転力がローラ３１に伝わるのを打ち切ることができ、したがって、先のストッパー３３による回転規制力と相俟って、ローラ３１の不用意な回転を確実に規制できる。換言すれば、このようにローラ軸３２とローラ３１との間にベアリング４５を介在してあると、ローラ３１の不用意な回転を確実に規制しながら、ローラ軸３２の良好な回転を確保でき、したがって、戸パネル５をスムーズに下降移動させることが可能となる。
【００４１】
図９は、戸パネル５が完全な閉じ位置に至った状態（全閉状態）を示している。つまり、戸パネル５が戸枠１の左縁と接する、完全な閉じ位置に至った状態を示している。先に述べたように、戸パネル５は、左斜め下方向に下降移動していく。図４においては、閉じ位置に至ったときに戸パネル５の状態を仮想線で示しており、符号ｔで示す上下寸法分だけ、戸パネル５はピポット軸９とともに下降移動している。ここでは、戸パネル５が全閉状態にあるときのハウジング２６の下端縁と戸枠１の下端面との隙間寸法が、出来るだけ小さくなるように設定してあり、これにて戸パネル５の下面隙間から光や風などが漏洩することを極力少なくしている。なお、かかる全閉状態においても、下ランナーユニット６はブロック体１７と接する状態で停止している。つまり、図１、図８および図９において、下ランナーユニット６は一切動いていない。
【００４２】
図９に示す完全な閉じ状態から、操作者が先とは逆の手順で戸パネル５を右方向に開き操作すると、戸パネル５と下ケース１６は、不動状態のローラ軸３２に対してガイド孔２０が沿うように上昇移動する。換言すれば、ローラ軸３２に対して、ガイド孔２０の傾斜角度で以て、戸パネル５および下ケース１６は上昇移動する。このときにも、ストッパー３３の回転規制力が発揮されるため、ローラ３１は動かない。
【００４３】
さらに右方向への開き操作が行われて、操作ピン２７がストッパー３３の操作部５９に至ると、操作部５９が押し下げ操作されて、ストッパー３３は、図１において実線で示すロック姿勢から、仮想線で示すアンロック姿勢に切り換え操作される。これにて、ローラ３１が自由回転状態となる。また、微小ガイド孔２１の奥端部でローラ軸３２が係合捕捉されて、先の図７の状態に戻る。
【００４４】
上記実施形態においては、ストッパー３３の重量バランスを戸尻側に偏寄させて、操作ピン２７の操作部５９に対する抑えがなくなると、ストッパー３３はその自重によって水平軸３５まわりに揺動回転してロック姿勢となるようにしていたが、これとは別に、あるいはこれに加えて、ストッパー３３の水平軸３５に、該ストッパー３３をロック姿勢に付勢する捻りコイル形のばねを装着することができる。これによれば、操作ピン２７による操作部５９に対する抑えが外れたとき、瞬時にストッパー３３をロック姿勢に姿勢変位させることができるので、ローラ３１の不用意な開き方向への遊転を確実に防ぐことが可能となる。上ガイドレール２内にエアーダンパーを組み付けてもよく、これによれば、戸パネル５が自重で閉じ移動できる一方で、同時にエアーダンパーで戸パネル５の閉じ動作を制動するので、戸パネル５をゆっくりと、しかし確実に閉じることが可能となる。
【図面の簡単な説明】
【００４５】
【図１】本発明に係る自動閉止式の引戸の要部の縦断正面図である。
【図２】引戸の正面図である。
【図３】図１のＡ−Ａ線断面図である。
【図４】本発明に係る自動閉止式の引戸の要部の縦断側面図であり、多くは図１のＢ−Ｂ線断面図である。
【図５】要部の分解斜視図である。
【図６】要部の分解斜視図である。
【図７】本発明に係る自動閉止式の引戸の要部の縦断正面図であり、ブロック体に下ランナーユニットが衝突する直前の状態を示している。
【図８】本発明に係る自動閉止式の引戸の要部の縦断正面図であり、戸パネルがガイド孔２０の傾斜角度で以て下降しているときの状態を示している。
【図９】本発明に係る自動閉止式の引戸の要部の縦断正面図であり、戸パネルが完全な閉じ位置に至ったときの状態を示している。
【符号の説明】
【００４６】
１  戸枠
２  上ガイドレール
３  下ガイドレール
５  戸パネル
６  下ランナーユニット
７  操作部材（把手）
１５  自閉機構
１６  下ケース
１７  ブロック体
１８  下ケースの前壁
１９  下ケースの後壁
２０  ガイド孔
２１  微小ガイド孔
２７  操作ピン
３０  ランナーケース
３１  ローラ
３２  ローラ軸
３３  ストッパー
３５  水平軸
３７  ランナーケースの前壁
３９  ランナーケースの後壁
４０  係合凸部
４７  軸受孔
５７  係合爪
５９  操作部
【図１】
2006225917.tif 000003
【図２】
2006225917.tif 000004
【図３】
2006225917.tif 000005
【図４】
2006225917.tif 000006
【図５】
2006225917.tif 000007
【図６】
2006225917.tif 000008
【図７】
2006225917.tif 000009
【図８】
2006225917.tif 000010
【図９】
2006225917.tif 000011